(57)【要約】【課題】  名札ケースが引っ張り力を受けても脱落することのないクリップを提供すること。【解決手段】  名札ケース１０を着脱するための開放口Ｃが形成されたフック部１５を有する本体１６と、この本体１６に取り付けられた移動部材１７と、前記本体１６の上部に装着された紐状部材１３を備えてクリップ１１が構成されている。開放口Ｃは、フック部１５の底部よりも上方に位置するように形成されており、移動部材１７は、開放口Ｃを閉塞する板状部材により構成され、当該移動部材１７を鉛直面内で回転させて第１の位置に設定したときに開放口Ｃを閉塞し、第２の位置に設定したときに開放口Ｃを開放するようになっている。【選択図】          図１
2006322577.tif 000002
【特許請求の範囲】
【請求項１】
被保持体に設けられた保持用穴に係り合わせて前記被保持体の吊り下げ保持を可能とするクリップにおいて、
被保持体着脱用の開放口が形成されたフック部を有する本体と、この本体に取り付けられるとともに当該本体に対して相対移動可能に設けられた移動部材とを含み、
前記開放口は、前記フック部の底部よりも上方に位置するように形成され、
前記移動部材は、当該移動部材を第１の位置に設定したときに前記開放口を閉塞する一方、第２の位置に設定したときに前記開放口を開放して被保持体の着脱を可能としたことを特徴とするクリップ。
【請求項２】
名札ケースに設けられた保持用穴に係り合わせて前記名札ケースの吊り下げ保持を可能とするクリップにおいて、
名札ケース着脱用の開放口が形成されたフック部を有する本体と、この本体に取り付けられるとともに当該本体に対して相対移動可能に設けられた移動部材とを含み、
前記開放口は、前記フック部の底部よりも上方に位置するように形成され、
前記移動部材は、当該移動部材を第１の位置に設定したときに前記開放口を閉塞する一方、第２の位置に設定したときに前記開放口を開放して名札ケースの着脱を可能としたことを特徴とするクリップ。
【請求項３】
前記移動部材は、前記本体に対して回転可能に設けられていることを特徴とする請求項１又は２記載のクリップ。
【請求項４】
前記移動部材は、前記本体に対してスライド移動可能に設けられていることを特徴とする請求項１又は２記載のクリップ。
【請求項５】
前記本体の上部に吊り下げ用の紐状部材の装着部が設けられ、当該装着部は、紐状部材が閉ループ状態を保ったまま交換可能に設けられていることを特徴とする請求項１，２，３又は４記載のクリップ。
【請求項６】
前記移動部材は、前記開放口の左右幅と略同一の幅を有する閉塞用領域を含み、当該閉塞用領域が前記第１の位置に保たれたときに、前記開放口を閉塞することを特徴とする請求項１ないし５の何れかに記載のクリップ。
【発明の詳細な説明】
【技術分野】
【０００１】
本発明はクリップに係り、更に詳しくは、名札ケース側に引っ張り力等の意図しない力が加えられても名札ケースの脱落を防止することのできるクリップに関する。
【背景技術】
【０００２】
従来より、各種展示会、講演会、或いは一定の集会等においては、扁平な透明ケースに名刺等を収納して当該ケースをクリップに保持させ、このクリップに取り付けられた帯状の紐状部材を利用者の首回りに吊り下げ保持することで、各人の特定が行えるようになっている。
【０００３】
特許文献１には、前述したクリップが示されている。同クリップは、吊り下げたときに略鉛直面内に位置する基片と、この基片に沿って取り付けられた挟持片とを備え、当該挟持片の下端側をばねの力によって基片の下端側に押し付けるように保つことで、実質的に、洗濯挟みに類似した状態を保って名札ケースを吊り下げ保持できるようになっている。
【０００４】
【特許文献１】特許第３５９０３２６号公報
【発明の開示】
【発明が解決しようとする課題】
【０００５】
しかしながら、特許文献１に記載されたクリップにあっては、挟持片に意図しない押圧力が加えられたときや、名札ケースが引っ張り力を受けたときに、当該名札ケースがクリップから脱落してしまう、という不都合がある。これは、基片と挟持片との接点が、名札ケースの保持用穴の形成縁に沿って位置し得る構成となっているためである。
【０００６】
［発明の目的］
本発明は、このような不都合に着目して案出されたものであり、その目的は、名札ケースが引っ張り力を受けても脱落することのないクリップを提供することにある。
【課題を解決するための手段】
【０００７】
前記目的を達成するため、本発明は、被保持体に設けられた保持用穴に係り合わせて前記被保持体の吊り下げ保持を可能とするクリップにおいて、
被保持体着脱用の開放口が形成されたフック部を有する本体と、この本体に取り付けられるとともに当該本体に対して相対移動可能に設けられた移動部材とを含み、
前記開放口は、前記フック部の底部よりも上方に位置するように形成され、
前記移動部材は、当該移動部材を第１の位置に設定したときに前記開放口を閉塞する一方、第２の位置に設定したときに前記開放口を開放して被保持体の着脱を可能とした構成を採っている。ここで、被保持体としては、名札ケース等を例示することができる。
【０００８】
本発明において、前記移動部材は、前記本体に対して回転可能に設けられている、という構成を採ることができる。
【０００９】
また、前記移動部材は、前記本体に対してスライド移動可能に設けることもできる。
【００１０】
更に、前記本体の上部に吊り下げ用の紐状部材の装着部が設けられ、当該装着部は、紐状部材が閉ループ状態を保ったまま交換可能に設けられる、という構成を採っている。
【００１１】
また、前記移動部材は、前記開放口の左右幅と略同一の幅を有する閉塞用領域を含み、当該閉塞用領域が前記第１の位置に保たれたときに、前記開放口を閉塞するように設けられている。
【発明の効果】
【００１２】
本発明によれば、名札ケースに設けられる保持用穴の形成縁は、フック部の底部にのみ接触した状態となる。従って、フック部が損傷等することがない限り、名札ケースは、常にクリップに保持された状態となり、名札ケースに引っ張り力等が作用することがあっても当該名札ケースの不用意な脱落は確実に防止されるものとなる。
【００１３】
また、前記開放口を開閉するための移動部材は本体に対して回転可能若しくはスライド移動可能に設けられるものであるため、移動部材が第１の位置を保っている限り、名札ケースの脱落は確実に防止できる他、名札ケースを本体に着脱する際の操作も簡単に行うことができる。
【００１４】
更に、閉ループ状態にある紐状部材が本体に対して着脱できる装着部を設けたことで、紐状部材を使用者のニーズに応じて交換することができる。
【００１５】
また、前記移動部材の閉塞用領域が開放口と同一の幅に設けられているため、名札ケースに形成されている保持用穴の形成縁に移動部材の閉塞用領域が引っ掛かってしまうような虞がなくなり、吊り下げ保持された状態にある名札ケースが、利用者の動きによって揺れ動いても、フック部の形状に沿って無理なく滑り回転できるため、利用者が動きを停止して静止したときに、常に表示面を鉛直向きに位置させることができるようになる。
【発明を実施するための最良の形態】
【００１６】
以下、本発明の好ましい実施形態を図面を参照しながら説明する。なお、以下の説明における位置若しくは方向に関する用語は、図１を矢印Ｄ方向から見た状態を基準とする。
【００１７】
図１には、本実施形態に係るクリップの使用状態における概略斜視図が示され、図２には、図１のＡ−Ａ線矢視断面図が示されている。また、図３には、図１の分解斜視図が示されている。これらの図において、被保持体としての名札ケース１０がクリップ１１及びこれに装着された紐状部材１３を介して吊り下げ保持されている。名札ケース１０は、透明な樹脂シートを袋状に形成して構成された公知のケースであり、その中央上端部には、左右方向に延びるスロット状の保持用穴１０Ａが形成されている。
【００１８】
前記クリップ１１は左右両側に開通しているとともに前部に開放口（図３参照）Ｃを形成するフック部１５を下部領域に備えた本体１６と、当該本体１６の前面側に取り付けられた移動部材１７と、本体１６の背面側に取り付けられたポケット装着用クリップ１８とを備えて構成されている。フック部１５は板状をなして本体１６と一体成形されている。すなわち、本体１６の後端下面から下方に延びる鉛直面部２０と、この鉛直面部２０の下部に連なって前方に緩やかに湾曲して先端が底部よりも上方に位置する円弧面部２１とを備え、側面視形状が釣り針に類似したＪ字状に設けられている。また、フック部１５において、前記開放口Ｃの左右幅を決定する左右幅Ｗ（図５参照）は、本体１６の左右幅Ｗ１よりも若干短い幅に設定されている。なお、左右幅Ｗは、前記保持用穴１０Ａの左右幅よりも幾分小さく設定されている。
【００１９】
前記本体１６は略直方体となる外形に設けられている。この本体１６は、図５ないし図１０に示されるように、略鉛直面内に位置する前面部２３と、当該前面部２３との間に所定間隔を隔てて配置された背面部２４と、これら前面部２３及び背面部２４の左右両側に位置する左側面部２５及び右側面部２６とを備えて上端及び下端が開放する略角筒状に設けられている。前面部２３及び背面部２４の各中央部には、前記移動部材１７及びポケット装着用クリップ１８を取り付けるための取付穴２８，２９がそれぞれ形成され、また、前面部２３の取付穴２８回りにおいて、当該取付穴２８の放射方向には、周方向略９０度間隔を隔てた位置に節度機構を構成するスロット溝２３Ａが形成されている。
【００２０】
前記右側面部２６の上部は、切欠穴３０が形成されているとともに、当該切欠穴３０の下部は、背面側に開放した形状に設けられている。また、背面部２４は、その上部領域にコ字状切欠部３３が形成され、当該切欠部３３で囲まれる内側は、紐状部材１３を掛け回すための装着部としての横軸３５として形成されている。ここで、コ字状切欠部３３の図３中下部左端は、前記右側面部２６に形成された切欠穴３０に連なる形状に設けられている。
【００２１】
前記移動部材１７は全体的に平坦な板状をなし、前記本体１６の左右幅に略対応する左右幅を備えた板状部３７と、当該板状部３７の下部に一体に連なるとともに板状部３７の左右幅よりも小さく、且つ、前記フック部１５の左右幅と略同一の左右幅に設けられた閉塞用領域としての開閉板部３８と、板状部３７の背面側に設けられた突軸４０とを備えて構成されている。突軸４０は、スロット４１を介して分割されており、これにより、前記前面部２３に形成された取付穴２８に回転可能な状態で強制的に嵌合可能となっている。移動部材１７は、開閉板部３８が板状部３７の下方に位置する状態（図１参照）を第１の位置として前記開放口Ｃを閉塞する一方、開閉板部３８が板状部３７の左右何れかに並ぶ位置若しくは板状部３７の上方に位置する状態（図４参照）を第２の位置として前記開放口Ｃを開放するようになっている。なお、前記突軸４０回りには、本体１６に形成されたスロット溝２３Ａとともに節度機構を構成する突条３７Ａが形成され、当該突条３７Ａがスロット溝２３Ａに嵌合する位置で移動部材１７の鉛直面内における自由な回転が規制され、これにより、開閉板部３８が開放口Ｃを閉塞している状態において、不用意に開放口Ｃを開放することがないようになっている。
【００２２】
ポケット装着用クリップ１８は、前記背面部２４に相対する前壁部４５と、当該前壁４５の上端に連なる後壁部４６と、この後壁部４６の上端から上前方に延びる延長壁部４８とを備え、後壁部４６の前面側には、隙間調整突部５０が形成され、当該隙間調整突部５０と前壁部４５との間に利用者の胸ポケットの上部が挿入できるようになっている。なお、前壁部４５の前面側には、突軸５２が設けられており、当該突軸５２を本体１６の背面部２４に形成された取付穴２９に対して相対回転可能な状態で嵌合するように設けられている。
【００２３】
次に、本実施形態におけるクリップ１１の組み立て要領と使用方法について説明する。
【００２４】
図３に示されるように、紐状部材１３は、本体１６の上端開口にループの一部を挿入し、当該ループ内に横軸３５を先端（図９中左端）から挿入することで横軸３５に掛け回して装着することができ、これと反対の操作を行うことにより取り外しを行うことができる。そのため、予め無端状に形成された紐状部材であっても着脱を支障なく行えるとともに、異種のタイプの紐状部材を任意に選択して装着することができる。
【００２５】
前記移動部材１７は、その背面側に位置する突軸４０を本体１６の取付穴２８に嵌合させて一体化される一方、ポケット装着用クリップ１８は、突軸５２を取付穴２９に嵌合させて一体化でき、これにより、クリップ１１の組み立てを完了することができる。
【００２６】
名札ケース１０をクリップ１１に支持させるときは、移動部材１７を第２の位置（図４参照）に回転させフック部１５の円弧状部２１を名札ケース１０の保持用穴１０Ａに挿入し、その後に、移動部材１７を第１の位置（図１参照）に回転させればよい。このとき、移動部材１７の突条３７Ａがクリック動作をもってスロット溝２３Ａに嵌合するため、以後の不用意なる回転が規制されて名札ケース１０の脱落が防止される。
【００２７】
このようにして支持された名札ケース１０は、図２に示されるように、保持用穴１０Ａの形成縁がフック部１５の底部に引っ掛かった状態となり、円弧状部２１の先端は保持用穴１０Ａの形成縁よりも上方に位置するため、名札ケース１０に下方への引っ張り力が作用することがあっても名札ケース１０の脱落は物理的に防止されることとなる。
【００２８】
従って、このような実施形態によれば、名札ケース１０を紛失することなく、常に一定の状態に支持することができるクリップを提供することができる。
【００２９】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【００３０】
例えば、前記実施形態では、被保持体として、名札ケース１０を対象とした場合を図示、説明したが、本発明はこれに限定されるものではなく、携帯電話やキーホルダー等を吊り下げ保持することもできる。
【００３１】
また、前記開放口Ｃが前方に形成される場合に限らず、後部に形成される場合であってもよい。要するに、本発明は、フック部１５の先端位置がフック部１５の底部よりも上方に位置し、当該フック部１５の底部に保持用穴１０Ａを引っ掛ける構成であれば足りる。
【００３２】
また、前記実施形態では、移動部材１７が鉛直面内で回転することで開放口Ｃを開閉する構成としたが、移動部材１７を本体１６に対してスライド移動可能に設けることで開放口Ｃを開閉できるようにしてもよい。つまり、本発明は、移動部材１７の面に対して前方から押圧力が付与されたときに、その押圧力によって開放口Ｃを開放することのない開閉方式を採用してあればよい。
【図面の簡単な説明】
【００３３】
【図１】本実施形態の使用状態を示す概略斜視図。
【図２】図１のＡ−Ａ線矢視断面図。
【図３】図１の分解斜視図。
【図４】名札ケースを取り外すときの状態を示す概略斜視図。
【図５】クリップを背面側から見た分解斜視図。
【図６】移動部材が第１の位置にあるときのクリップの右側面図。
【図７】移動部材が第２の位置にあるときのクリップの右側面図。
【図８】クリップの正面図。
【図９】クリップの背面図。
【図１０】クリップの平面図。
【符号の説明】
【００３４】
１０  名札ケース（被保持体）
１０Ａ  保持用穴
１１  クリップ
１３  紐状部材
１５  フック部
１６  本体
１７  移動部材
１８  ポケット装着用クリップ
３８  開閉板部（閉塞用領域）
Ｃ  開放口
【図１】
2006322577.tif 000003
【図２】
2006322577.tif 000004
【図３】
2006322577.tif 000005
【図４】
2006322577.tif 000006
【図５】
2006322577.tif 000007
【図６】
2006322577.tif 000008
【図７】
2006322577.tif 000009
【図８】
2006322577.tif 000010
【図９】
2006322577.tif 000011
【図１０】
2006322577.tif 000012